(57)【要約】【課題】ユーザに有用な情報を提供し得るコンテンツ出力システム、コンテンツ出力装置及びプログラムを提供する。【解決手段】視野内を撮影する撮像手段と、撮像手段により撮影された画像を送信する送信手段と、を有するカメラ５と、カメラ５により撮影された画像を含むコンテンツを受信して出力するコンテンツ処理サーバ１と、を備えたコンテンツ出力システム１００であって、コンテンツ処理サーバ１は、カメラ５により撮影された画像を解析して、解析結果に応じて出力するコンテンツを判別する画像判別部１３と、画像判別部１３により判別されたコンテンツを出力するコンテンツ送信部１８と、を備える。【選択図】図２
2019176365.tif 000002
【特許請求の範囲】
【請求項１】
視野内を撮影する撮像手段と、前記撮像手段により撮影された画像を送信する送信手段と、を有する撮影装置と、
前記撮影装置により撮影された前記画像を含むコンテンツを受信して出力するコンテンツ出力装置と、
を備えたコンテンツ出力システムであって、
前記コンテンツ出力装置は、
前記撮影装置により撮影された前記画像を解析して、解析結果に応じて出力するコンテンツを判別する画像判別手段と、
前記画像判別手段により判別された前記コンテンツを出力するコンテンツ出力手段と、
を備えること、
を特徴とするコンテンツ出力システム。
【請求項２】
請求項１に記載のコンテンツ出力システムにおいて、
前記撮影装置は、音声を含む動画像を、前記画像として取得し、
前記コンテンツ出力装置の前記画像判別手段は、前記画像に対して画像認識処理及び音声認識処理のうち少なくとも一方を行って、混雑度合いに応じて出力するコンテンツを判別すること、
を特徴とするコンテンツ出力システム。
【請求項３】
請求項１又は請求項２に記載のコンテンツ出力システムにおいて、
前記コンテンツ出力装置の前記画像判別手段は、前記画像に対して画像認識処理を行って、顔画像を含むか否かを判別し、
前記コンテンツ出力装置は、前記画像に顔画像を含むと判別した場合には、前記顔画像の領域に対して画像処理を行って、画像処理後の画像を含む前記コンテンツを生成するコンテンツ加工手段を備えること、
を特徴とするコンテンツ出力システム。
【請求項４】
請求項１から請求項３までのいずれかに記載のコンテンツ出力システムにおいて、
前記コンテンツ出力装置の前記画像判別手段は、異なる位置を撮影する複数の前記撮影装置により撮影された画像を各々含む複数のコンテンツから１以上の前記コンテンツを判別すること、
を特徴とするコンテンツ出力システム。
【請求項５】
請求項１から請求項４までのいずれかに記載のコンテンツ出力システムにおいて、
前記コンテンツ出力装置は、
前記画像に関するタグを付与するタグ付与手段と、
前記タグ付与手段により付与された前記タグに基づいて、前記画像に対して優先順位を付与する順位付与手段と、
を備え、
前記コンテンツ出力装置の前記コンテンツ出力手段は、さらに、前記順位付与手段により付与された優先順位に基づいて、前記コンテンツを出力すること、
を特徴とするコンテンツ出力システム。
【請求項６】
請求項５に記載のコンテンツ出力システムにおいて、
前記コンテンツ出力装置は、前記コンテンツ出力装置に表示された前記コンテンツに対する評価を受け付ける評価受付手段を備え、
前記コンテンツ出力装置の前記順位付与手段は、前記評価受付手段が受け付けた評価に基づいて、前記画像に対して優先順位を付与すること、
を特徴とするコンテンツ出力システム。
【請求項７】
請求項１から請求項６までのいずれかに記載のコンテンツ出力システムにおいて、
前記コンテンツ出力装置は、前記画像に関するコメントを受け付けるコメント受付手段を備え、
前記コンテンツ出力装置は、前記コメント受付手段が受け付けたコメントを前記コンテンツに付加するコメント付加手段を備えること、
を特徴とするコンテンツ出力システム。
【請求項８】
請求項１から請求項７までのいずれかに記載のコンテンツ出力システムにおいて、
前記コンテンツ出力装置の前記コンテンツ出力手段は、コンテンツを表示するコンテンツ表示装置に対して、前記コンテンツを出力すること、
を特徴とするコンテンツ出力システム。
【請求項９】
請求項８に記載のコンテンツ出力システムにおいて、
前記撮影装置は、特定の空間に設けられ、
前記コンテンツ表示装置は、前記特定の空間に関連した場所に設けられ、
前記画像には、撮影位置が対応付けられており、
前記コンテンツ出力装置は、前記撮影位置を含む地図と、前記画像とを含む前記コンテンツを生成するコンテンツ生成手段を備えること、
を特徴とするコンテンツ出力システム。
【請求項１０】
視野内を撮影する撮像手段と、
前記撮像手段により撮影された画像を送信する送信手段と、
を有する撮影装置に対して通信可能に接続されたコンテンツ出力装置であって、
前記撮影装置により撮影された前記画像を解析して、解析結果に応じて出力するコンテンツを判別する画像判別手段と、
前記画像判別手段により判別されたコンテンツを出力するコンテンツ出力手段と、
を備えること、
を特徴とするコンテンツ出力装置。
【請求項１１】
請求項１から請求項９までのいずれかに記載のコンテンツ出力システムの前記コンテンツ出力装置としてコンピュータを機能させるためのプログラム。
【発明の詳細な説明】
【技術分野】
【０００１】
本発明は、コンテンツ出力システム、コンテンツ出力装置及びプログラムに関する。
【背景技術】
【０００２】
昨今、例えば、街中や駅構内における広告では、デジタルサイネージ等によるデジタル画像や映像を用いたものが主流になってきている。しかし、デジタルサイネージに表示する広告は、例えば、テレビのＣＭ等と変わらない内容であったりすることが多く、通行人の関心を惹きつける要素が少なかった。
他方、ＳＮＳサービスに投稿された写真を印刷し、印刷された写真をサイネージに表示する技術が開示されている（例えば、特許文献１）。
【先行技術文献】
【特許文献】
【０００３】
【特許文献１】特開２０１７−２０８００６号公報
【発明の概要】
【発明が解決しようとする課題】
【０００４】
特許文献１に記載のものは、イベント会場や店舗等に設置したサイネージ装置に、ＳＮＳサービスに投稿され、それが印刷された写真を表示することで、来場者や来店者にプリンタの設置を知らせるためのものである。
このように、イベント会場や店舗等において、来場者や来店者等のユーザに有用な情報を提供すれば、ユーザの関心を惹きつけるものになり得る。
【０００５】
そこで、本発明は、ユーザに有用な情報を提供し得るコンテンツ出力システム、コンテンツ出力装置及びプログラムを提供することを目的とする。
【課題を解決するための手段】
【０００６】
本発明は、以下のような解決手段により、前記課題を解決する。
第１の発明は、視野内を撮影する撮像手段と、前記撮像手段により撮影された画像を送信する送信手段と、を有する撮影装置と、前記撮影装置により撮影された前記画像を含むコンテンツを受信して出力するコンテンツ出力装置と、を備えたコンテンツ出力システムであって、前記コンテンツ出力装置は、前記撮影装置により撮影された前記画像を解析して、解析結果に応じて出力するコンテンツを判別する画像判別手段と、前記画像判別手段により判別された前記コンテンツを出力するコンテンツ出力手段と、を備えること、を特徴とするコンテンツ出力システムである。
第２の発明は、第１の発明のコンテンツ出力システムにおいて、前記撮影装置は、音声を含む動画像を、前記画像として取得し、前記コンテンツ出力装置の前記画像判別手段は、前記画像に対して画像認識処理及び音声認識処理のうち少なくとも一方を行って、混雑度合いに応じて出力するコンテンツを判別すること、を特徴とするコンテンツ出力システムである。
第３の発明は、第１の発明又は第２の発明のコンテンツ出力システムにおいて、前記コンテンツ出力装置の前記画像判別手段は、前記画像に対して画像認識処理を行って、顔画像を含むか否かを判別し、前記コンテンツ出力装置は、前記画像に顔画像を含むと判別した場合には、前記顔画像の領域に対して画像処理を行って、画像処理後の画像を含む前記コンテンツを生成するコンテンツ加工手段を備えること、を特徴とするコンテンツ出力システムである。
第４の発明は、第１の発明から第３の発明までのいずれかのコンテンツ出力システムにおいて、前記コンテンツ出力装置の前記画像判別手段は、異なる位置を撮影する複数の前記撮影装置により撮影された画像を各々含む複数のコンテンツから１以上の前記コンテンツを判別すること、を特徴とするコンテンツ出力システムである。
第５の発明は、第１の発明から第４の発明までのいずれかのコンテンツ出力システムにおいて、前記コンテンツ出力装置は、前記画像に関するタグを付与するタグ付与手段と、前記タグ付与手段により付与された前記タグに基づいて、前記画像に対して優先順位を付与する順位付与手段と、を備え、前記コンテンツ出力装置の前記コンテンツ出力手段は、さらに、前記順位付与手段により付与された優先順位に基づいて、前記コンテンツを出力すること、を特徴とするコンテンツ出力システムである。
第６の発明は、第５の発明のコンテンツ出力システムにおいて、前記コンテンツ出力装置は、前記コンテンツ出力装置に表示された前記コンテンツに対する評価を受け付ける評価受付手段を備え、前記コンテンツ出力装置の前記順位付与手段は、前記評価受付手段が受け付けた評価に基づいて、前記画像に対して優先順位を付与すること、を特徴とするコンテンツ出力システムである。
第７の発明は、第１の発明から第６の発明までのいずれかのコンテンツ出力システムにおいて、前記コンテンツ出力装置は、前記画像に関するコメントを受け付けるコメント受付手段を備え、前記コンテンツ出力装置は、前記コメント受付手段が受け付けたコメントを前記コンテンツに付加するコメント付加手段を備えること、を特徴とするコンテンツ出力システムである。
第８の発明は、第１の発明から第７の発明までのいずれかのコンテンツ出力システムにおいて、前記コンテンツ出力装置の前記コンテンツ出力手段は、コンテンツを表示するコンテンツ表示装置に対して、前記コンテンツを出力すること、を特徴とするコンテンツ出力システムである。
第９の発明は、第８の発明のコンテンツ出力システムにおいて、前記撮影装置は、特定の空間に設けられ、前記コンテンツ表示装置は、前記特定の空間に関連した場所に設けられ、前記画像には、撮影位置が対応付けられており、前記コンテンツ出力装置は、前記撮影位置を含む地図と、前記画像とを含む前記コンテンツを生成するコンテンツ生成手段を備えること、を特徴とするコンテンツ出力システムである。
第１０の発明は、視野内を撮影する撮像手段と、前記撮像手段により撮影された画像を送信する送信手段と、を有する撮影装置に対して通信可能に接続されたコンテンツ出力装置であって、前記撮影装置により撮影された前記画像を解析して、解析結果に応じて出力するコンテンツを判別する画像判別手段と、前記画像判別手段により判別されたコンテンツを出力するコンテンツ出力手段と、を備えること、を特徴とするコンテンツ出力装置である。
第１１の発明は、第１の発明から第９の発明までのいずれかのコンテンツ出力システムの前記コンテンツ出力装置としてコンピュータを機能させるためのプログラムである。
【発明の効果】
【０００７】
本発明によれば、ユーザに有用な情報を提供し得るコンテンツ出力システム、コンテンツ出力装置及びプログラムを提供することができる。
【図面の簡単な説明】
【０００８】
【図１】第１実施形態に係るコンテンツ出力システムの全体概要図である。
【図２】第１実施形態に係るコンテンツ処理サーバの機能ブロック図である。
【図３】第１実施形態に係るコンテンツ処理サーバのコンテンツ表示処理を示すフローチャートである。
【図４】第１実施形態に係る表示装置での表示例を示す図である。
【図５】第２実施形態に係るコンテンツ出力システムの全体概要図である。
【図６】第２実施形態に係るコンテンツ処理サーバ及び表示装置の機能ブロック図である。
【図７】第２実施形態に係るコンテンツ処理サーバのコンテンツ生成処理を示すフローチャートである。
【図８】第２実施形態に係るコンテンツ処理サーバのコンテンツ表示処理を示すフローチャートである。
【図９】第２実施形態に係る表示装置での表示例を示す図である。
【図１０】第２実施形態に係る表示装置のコンテンツ評価受付処理を示すフローチャートである。
【発明を実施するための形態】
【０００９】
以下、本発明を実施するための形態について、図を参照しながら説明する。なお、これは、あくまでも一例であって、本発明の技術的範囲はこれに限られるものではない。
（第１実施形態）
＜コンテンツ出力システム１００＞
図１は、第１実施形態に係るコンテンツ出力システム１００の全体概要図である。
図２は、第１実施形態に係るコンテンツ処理サーバ１の機能ブロック図である。
【００１０】
図１に示すコンテンツ出力システム１００は、例えば、大勢の人が集うような場所であるショッピングモールや、イベント会場の入口等、その場所に関連する位置にあり、人が通る際に目に付く場所に、表示装置４（コンテンツ表示装置、コンテンツ出力装置）を設置する。そして、コンテンツ出力システム１００は、ショッピングモールやイベント会場等の内部の様子を、カメラ５を使用して撮影し、撮影した画像を含むコンテンツを表示装置４に表示させるシステムである。
以降の説明において、例えば、ショッピングモールや、イベント会場といった、人が集まる場所であって、このコンテンツ出力システム１００の利用を想定する場所を、特定空間９という。
図１に示す例では、特定空間９は、複数の展示スペースを含むイベント会場である。
【００１１】
図１及び図２に示すコンテンツ出力システム１００は、コンテンツ処理サーバ１（コンテンツ出力装置）と、１台の表示装置４と、複数台のカメラ５（撮影装置）とを備える。コンテンツ処理サーバ１と、表示装置４と、カメラ５とは、通信ネットワークＮを介して通信可能に接続されている。通信ネットワークＮは、例えば、インターネット回線等である。また、通信ネットワークＮは、例えば、Ｂｌｕｅｔｏｏｔｈ（登録商標）規格に基づく短距離無線通信等を用いるものであってもよい。
なお、表示装置４は、１台に限らず、複数台設置してもよいし、カメラ５は、１台以上あればよく、いずれも数に制限はない。
【００１２】
＜コンテンツ処理サーバ１＞
コンテンツ処理サーバ１は、表示装置４に表示させるコンテンツに関する処理を行う。コンテンツ処理サーバ１は、カメラ５から取得した画像を判別し、判別結果に応じて、表示装置４に出力するコンテンツを生成して、表示装置４に送信する。
コンテンツ処理サーバ１は、例えば、サーバである。コンテンツ処理サーバ１は、その他、パーソナルコンピュータ（ＰＣ）等であってもよい。
コンテンツ処理サーバ１は、制御部１０と、記憶部３０と、通信インタフェース部３９とを備える。
【００１３】
制御部１０は、コンテンツ処理サーバ１の全体を制御する中央処理装置（ＣＰＵ）である。制御部１０は、記憶部３０に記憶されているオペレーティングシステム（ＯＳ）やアプリケーションプログラムを適宜読み出して実行することにより、上述したハードウェアと協働し、各種機能を実行する。
制御部１０は、画像取得部１１と、画像判別部１３（画像判別手段）と、地図生成部１６（地図生成手段）と、コンテンツ生成部１７（コンテンツ加工手段、コンテンツ生成手段）と、コンテンツ送信部１８（コンテンツ出力手段）とを備える。
【００１４】
画像取得部１１は、特定空間９を撮影する複数台のカメラ５により撮影された画像を、カメラ５から取得する。ここで、画像取得部１１は、カメラ５から画像（コンテンツ）を直接受信してもよい。また、画像取得部１１は、カメラ５により撮影された画像を含むコンテンツを、他の装置（図示せず）から受信してもよい。
画像判別部１３は、画像取得部１１によって取得した画像を解析して、解析結果に応じて出力するコンテンツを判別する。例えば、画像判別部１３は、画像取得部１１によって取得した画像に対して、画像認識処理を行って、人の混雑度合いに応じて出力するコンテンツを判別する。例えば、画像判別部１３は、画像の混雑度合いが閾値以上である場合に、その画像を含むコンテンツを出力するコンテンツとして判別しもよい。また、画像判別部１３は、混雑度合いが閾値以上である画像が複数ある場合には、複数の画像の各々を含む複数のコンテンツを、出力するコンテンツとして判別し、時間の経過と共に切り替えて表示させるようにしてもよい。
【００１５】
画像認識処理の一例として、画像判別部１３は、公知の手法により、画像に含まれる顔画像や、人を検出して、その数によって混雑度合いを判別してもよい。また、画像判別部１３は、単に通りすがりの人を除外するために、検出した人等が立ち止まっている場合や、単位時間に対する移動距離が短い場合、つまり、人の動くスピードがゆっくりである場合に、その数をカウントして混雑度合いを判別してもよい。
【００１６】
ここで、人検出の手法としては、例えば、ＨＯＧ特徴量を用いるものがある。ＨＯＧ特徴量を用いた人検出に関しては、「Ｎ．Ｄａｌａｌ  ａｎｄ  Ｂ．Ｔｒｉｇｇｓ．Ｈｉｓｔｏｇｒａｍｓ  ｏｆ  Ｏｒｉｅｎｔｅｄ  Ｇｒａｄｉｅｎｔｓ  ｆｏｒ  Ｈｕｍａｎ  Ｄｅｔｅｃｔｉｏｎ．Ｉｎ  ＣＶＰＲ，ｐａｇｅｓ８８６−８９３，２００５」に記載されている。
【００１７】
また、顔検出の手法としては、例えば、Ｈａａｒ−ｌｉｋｅ特徴を用いるものがある。Ｈａａｒ−ｌｉｋｅ特徴を用いた顔検出に関しては、「Ｐ．Ｖｉｏｌａ  ａｎｄ  Ｍ．Ｊ．Ｊｏｎｅｓ：“Ｒａｐｉｄ  Ｏｂｊｅｃｔ  Ｄｅｔｅｃｔｉｏｎ  Ｕｓｉｎｇ  ａ  Ｂｏｏｓｔｅｄ  Ｃａｓｃａｄｅ  ｏｆ  Ｓｉｍｐｌｅ  Ｆｅａｔｕｒｅｓ”，Ｐｒｏｃｅｅｄｉｎｇｓ  ｏｆ  ｔｈｅ  ２００１  ＩＥＥＥ  Ｃｏｍｐｕｔｅｒ  Ｓｏｃｉｅｔｙ  Ｃｏｎｆｅｒｅｎｃｅ  ｏｎ  Ｃｏｍｐｕｔｅｒ  Ｖｉｓｉｏｎ  ａｎｄ  Ｐａｔｔｅｒｎ  Ｒｅｃｏｇｎｉｔｉｏｎ，ｐｐ．５１１−５１８，（２００１）．」に記載されている。
【００１８】
地図生成部１６は、コンテンツに含む画像を取得したカメラ５の撮影位置を含む、特定空間９の地図を生成する。具体的には、地図生成部１６は、例えば、地図記憶部３２に記憶された特定空間９の地図に、カメラ位置記憶部３３に記憶された該当のカメラ５の位置を反映させる。
生成した地図は、表示装置４の設置位置と、特定空間９の位置とを考慮したものが望ましい。通行人は、表示装置４に対面する位置から表示装置４を見る。よって、地図生成部１６は、表示装置４の上側が特定空間９の奥方向になり、表示装置４の下側が特定空間９の手前方向になるように地図を生成するのが望ましい。
【００１９】
コンテンツ生成部１７は、画像に顔画像を含む場合に、コンテンツの顔画像の領域に対して画像処理による加工を行ってもよい。顔画像の領域に対する画像処理とは、顔や人物を特定できないようにするものであり、例えば、モザイクやぼかしを入れたり、予め用意したキャラクタ等の画像を合成したりする処理である。
そして、コンテンツ生成部１７は、コンテンツに対して生成した地図を含んだ新たなコンテンツを生成する。
コンテンツ送信部１８は、コンテンツ生成部１７により生成されたコンテンツを、表示装置４に対して送信する。
【００２０】
記憶部３０は、制御部１０が各種の処理を実行するために必要なプログラム、データ等を記憶するためのハードディスク、半導体メモリ素子等の記憶領域である。
記憶部３０は、プログラム記憶部３１と、地図記憶部３２と、カメラ位置記憶部３３とを備える。
プログラム記憶部３１は、各種のプログラムを記憶する記憶領域である。プログラム記憶部３１は、コンテンツ処理プログラム３１ａを記憶している。コンテンツ処理プログラム３１ａは、コンテンツ処理サーバ１の制御部１０が実行する各種機能を行うためのプログラムである。
【００２１】
地図記憶部３２は、特定空間９の地図を記憶する記憶領域である。
カメラ位置記憶部３３は、特定空間９に設置したカメラ５の位置を記憶する記憶領域である。
通信インタフェース部３９は、通信ネットワークＮを介して表示装置４及びカメラ５との間の通信を行うためのインタフェースである。
【００２２】
ここで、コンピュータとは、制御部、記憶装置等を備えた情報処理装置をいい、コンテンツ処理サーバ１は、制御部１０、記憶部３０等を備えた情報処理装置であり、コンピュータの概念に含まれる。
【００２３】
＜表示装置４＞
図１に示す表示装置４は、例えば、縦が１．５〜２ｍ程度で、横幅が１〜１．５ｍ程度の液晶ディスプレイ等のモニタ（デジタルサイネージ）を有する装置である。上述したように、表示装置４は、例えば、特定空間９の入口付近に設置する。そして、表示装置４は、コンテンツ処理サーバ１から受信した特定空間９の画像を含むコンテンツを表示する。
【００２４】
＜カメラ５＞
カメラ５は、特定空間９に設置され、特定空間９の内部を撮影する。
カメラ５は、視野内を撮影する撮像手段と、撮像手段により撮影された画像を送信する送信手段とを備える。
カメラ５は、例えば、監視カメラ等であってもよい。また、カメラ５は、動画像を撮影し続けるものであっても、所定の時間間隔で静止画を撮影するものであってもよい。以降の説明において、撮影した画像は、動画像であるものとして説明する。
【００２５】
＜コンテンツ表示処理＞
次に、表示装置４にコンテンツを表示させる処理について説明する。
図３は、第１実施形態に係るコンテンツ処理サーバ１のコンテンツ表示処理を示すフローチャートである。
図４は、第１実施形態に係る表示装置４での表示例を示す図である。
【００２６】
図３のステップＳ（以下、単に「Ｓ」という。）１０において、コンテンツ処理サーバ１の制御部１０（画像取得部１１）は、各カメラ５によって撮影された画像を、各カメラ５から取得する。画像取得部１１は、カメラ５の電源が投入されている間は、常時、カメラ５から画像を取得してもよい。また、画像取得部１１は、１分おき等の所定のタイミングで定期的に、カメラ５から画像を取得してもよい。
【００２７】
Ｓ１１において、制御部１０（画像判別部１３）は、取得した各画像に対して画像認識技術を用いた画像認識処理をすることで、各画像の混雑度合いを判別する。
Ｓ１２において、制御部１０は、判別結果として最も混雑度合いが高い画像を、出力するコンテンツとして特定する。
Ｓ１３において、制御部１０（コンテンツ生成部１７）は、特定した画像から顔画像を抽出し、抽出した顔画像に対して加工処理を行う。この処理によって、加工処理後の画像を含むコンテンツは、人がいることは分かるが、人物を特定できないものになる。
【００２８】
Ｓ１４において、制御部１０は、Ｓ１２で特定した画像を撮影したカメラ５の位置を、カメラ位置記憶部３３に基づいて取得する。
Ｓ１５において、制御部１０（地図生成部１６）は、特定したカメラ５の位置を含む地図を生成する。制御部１０は、地図記憶部３２から、特定空間９の地図を抽出し、特定したカメラ５の位置を、抽出した地図に配置した地図を生成する。
【００２９】
Ｓ１６において、制御部１０（コンテンツ生成部１７）は、生成した地図と、加工処理後の画像とを含むコンテンツを生成する。
Ｓ１７において、制御部１０（コンテンツ送信部１８）は、生成したコンテンツを表示装置４に送信する。その後、制御部１０は、処理をＳ１０に移し、取得した画像を用いてコンテンツを生成し、表示装置４に送信する処理を繰り返す。この繰り返し処理は、例えば、所定のタイミングで定期的に行う。
【００３０】
コンテンツ処理サーバ１の制御部１０は、上述した処理を、カメラ５から画像を取得したことに応じて即時に行う。そして、制御部１０は、即時処理によって生成されたコンテンツを、表示装置４に送信する。よって、表示装置４に表示されるコンテンツは、ほぼリアルタイムに特定空間９の状況を示す。
【００３１】
図４は、特定空間９の入口に設置された表示装置４に、コンテンツ４０が表示されている例を示す。
コンテンツ４０は、大別して画像領域４１と、地図領域４２とから構成されている。
画像領域４１には、最も混雑度合いが高い位置の画像であって、顔画像等に加工処理を施した画像を表示する。この例では、最も混雑度合いが高い位置のカメラ５は、展示スペースＡに設置されている。この画像領域４１に表示された画像は、展示スペースＡの混雑度合いを、ほぼリアルタイムに反映している。
【００３２】
地図領域４２には、画像領域４１を撮影したカメラ５の位置４２ａを、地図に示した特定空間９の地図を表示する。地図領域４２に示す地図は、特定空間９の入口を下側としたものであるため、表示装置４を見た通行人等を、特定空間９の位置４２ａによって示される展示スペースＡに、間違えることなく向かわせることができる。
なお、図４に示すように、画像領域４１に表示されている画像の撮影場所である「展示スペースＡ」を、名称領域４３に表示させてもよい。例えば、カメラ位置記憶部３３に記憶されたカメラ５の位置に、名称を対応付けて記憶しておけば、コンテンツ処理サーバ１は、名称領域４３に名称を配置してコンテンツを生成できるため、コンテンツに、場所の名称を表示できる。
【００３３】
このように、第１実施形態のコンテンツ出力システム１００によれば、以下のような効果がある。
（１）コンテンツ処理サーバ１は、カメラ５が撮影した画像から混雑度合いを判別して、混雑度合いが高い画像を含むコンテンツを、特定空間９の入口に設置された表示装置４に表示させる。よって、入口付近で表示装置４を見た通行人等は、画像によって賑わっている様子を見ることができ、画像の撮影場所の好奇心を掻き立てることができ、特定空間９に通行人を向かわせる動機づけになり得る。
（２）コンテンツ処理サーバ１は、複数のカメラ５から画像を取得し、取得した画像のうち、最も混雑度合いの高い画像を用いたコンテンツを出力する。よって、複数の場所のうち、通行人がより興味を持ちやすい画像を含むコンテンツを出力できる。
（３）コンテンツ処理サーバ１は、カメラ５から画像を取得したことに応じて、表示装置４にコンテンツを出力する。よって、表示装置４は、ほぼリアルタイムの画像を表示することができる。
【００３４】
（４）コンテンツ処理サーバ１は、取得した画像に対して顔画像がある場合には、顔画像の領域に対して画像処理を行う。よって、写り込んだ人の顔が特定できないように加工をしたものを、コンテンツとして表示装置４に表示できるため、プライバシーの保護の観点からも優れたものにできる。
（５）コンテンツ処理サーバ１は、コンテンツを構成する画像の撮影位置を、地図上に示し、画像と地図とを含むコンテンツを生成して、表示装置４に送信する。よって、表示装置４では、画像と地図とを含むコンテンツを表示でき、表示装置４を見た通行人が、画像が示す特定空間９の位置を把握しやすくできる。結果として、通行人を、画像が撮影された場所に誘導できる。
【００３５】
なお、第１実施形態によるコンテンツ出力システム１００は、種々の変形が可能である。
【００３６】
（１）混雑度合いの判別には、種々の方法が考えられる。例えば、カメラ５による撮影範囲にマイクを設置し、周囲の音（音声）を集音することで、音声認識処理によって混雑度合いを判別してもよい。また、音声認識処理と、画像認識処理との両方の処理によって、混雑度合いを判別してもよい。
【００３７】
（２）混雑度合いを判別し、混雑度合いが高い画像を、出力するコンテンツとして判別するものに限定されない。第１実施形態に記載のように、混雑度合いが高い画像を、出力するコンテンツとして判別した場合には、コンテンツは、混んでいる状態を表すので、賑わっている様子を示すことものにできる。そのため、コンテンツを見た人を賑わいに参加させ、特定空間９がさらに盛り上がる動機づけになり得る。
逆に、混雑度合いが低い画像を、出力するコンテンツとして判別するものであってもよい。混雑度合いが低い画像を、出力するコンテンツとして判別することで、例えば、その画像がランチを提供する店舗である場合に、ランチ時間にコンテンツを見た人に、直ぐに入店できるという情報を与えることができ、来客させる動機づけになり得、また、集客に貢献し得る。
【００３８】
（３）また、混雑度合いが閾値以上の画像が複数ある場合には、各画像を含むコンテンツを、時間の経過と共にコンテンツを切り替えて表示装置４に表示させてもよい。
さらに、混雑度合いが閾値以上の画像がない場合には、予め生成されて記憶部３０に記憶されたコンテンツを、表示装置４に表示させてもよい。
（４）地図記憶部３２とカメラ位置記憶部３３とを用いて地図を生成するものに限られない。地図記憶部３２に、各カメラ５の位置を含む地図を記憶しておけば、カメラ位置記憶部３３を参照して地図を生成しなくても、地図記憶部３２に記憶された該当のカメラ５の位置を含む地図を取得するようにしてもよい。
【００３９】
（第２実施形態）
第２実施形態では、ユーザが所持するカメラで撮影した画像を含むコンテンツを、表示装置に表示させるものについて説明する。なお、以降の説明において、上述した第１実施形態と同様の機能を果たす部分には、同一の符号又は末尾に同一の符号を付して、重複する説明を適宜省略する。
【００４０】
＜コンテンツ出力システム２００＞
図５は、第２実施形態に係るコンテンツ出力システム２００の全体概要図である。
図６は、第２実施形態に係るコンテンツ処理サーバ２０１及び表示装置２０４の機能ブロック図である。
【００４１】
図５に示すコンテンツ出力システム２００は、例えば、レストラン等の入口であって、人が通る際に目に付く場所に、表示装置２０４を設置する。表示装置２０４を設置する場所は、特定空間２０９の近くである。特定空間２０９は、人がその場所に関するコメントを、ソーシャルネットワーキングサービス（ＳＮＳ）等を使って発信するような場所である。そして、コンテンツ出力システム２００は、特定空間２０９にいるユーザＰ１が、特定空間２０９の中で自身の携帯端末２０７を用いて撮影した画像を投稿することで、画像を含むコンテンツを、表示装置２０４に表示させるシステムである。
以降において、特定空間２０９は、レストランの店内であるとして説明する。
【００４２】
なお、図５では、１人のユーザＰ１が、携帯端末２０７を用いて投稿するものを例に説明するが、他のユーザも、自身の携帯端末２０７を用いて特定空間２０９の内部を撮影し、撮影した画像等をコンテンツ処理サーバ２０１に送信してもよい。また、ユーザＰ１は、店員等であってもよい。
【００４３】
図６に示すコンテンツ出力システム２００は、コンテンツ処理サーバ２０１と、１台の表示装置２０４と、１台以上の携帯端末２０７とを備える。コンテンツ処理サーバ２０１と、表示装置２０４とは、通信ネットワークＮを介して通信可能に接続されている。
携帯端末２０７は、基地局Ｂを介して通信ネットワークＮに接続されている。基地局Ｂは、無線通信の基地局であって、携帯端末２０７がコンテンツ処理サーバ２０１との間で通信をするための中継を行う。基地局Ｂは、例えば、Ｗｉ−Ｆｉ等の無線ＬＡＮ（Ｌｏｃａｌ  Ａｒｅａ  Ｎｅｔｗｏｒｋ）の基地局や、通信事業者の携帯端末通信網用の基地局である。そして、基地局Ｂは、例えば、特定空間２０９に設置され、特定空間２０９にある携帯端末２０７のみが通信可能である。
つまり、携帯端末２０７は、特定空間２０９でのみ、コンテンツ処理サーバ２０１と通信が可能である。
【００４４】
＜コンテンツ処理サーバ２０１＞
コンテンツ処理サーバ２０１は、携帯端末２０７から画像を取得し、取得した画像を判別した結果に応じて、画像を含むコンテンツを生成して、表示装置２０４に送信する。
コンテンツ処理サーバ２０１は、制御部２１０と、記憶部２３０と、通信インタフェース部３９とを備える。
制御部２１０は、画像取得部２１１と、コメント受付部２１２（コメント受付手段）と、画像判別部２１３（画像判別手段）と、タグ付与部２１４（タグ付与手段）と、順位付与部２１５（順位付与手段）と、コンテンツ生成部２１７（コメント付加手段）と、コンテンツ送信部１８と、評価受付部２２０（評価受付手段）とを備える。
【００４５】
画像取得部２１１は、特定空間２０９の中でユーザＰ１が携帯端末２０７を操作して撮影した画像を、携帯端末２０７から受信することで取得する。画像取得部２１１は、基地局Ｂ及び通信ネットワークＮを介して画像を取得する。
コメント受付部２１２は、ユーザＰ１が入力したコメントを、携帯端末２０７から受信することで受け付ける。コメントは、例えば、画像ついてのユーザＰ１の感想等である。
【００４６】
画像判別部２１３は、画像取得部２１１によって取得した画像を判別する。画像判別部２１３は、例えば、取得した画像に位置情報を含むメタ情報を有する場合には、位置情報が特定空間２０９の位置を示すものであるか否かを判別することで、取得した画像が特定空間２０９で撮影されたものであるか否かを判別してもよい。また、画像判別部２１３は、例えば、取得した画像に日時情報を含むメタ情報を有する場合には、日時情報が現在日時に近いものであるか否かを判別して、取得した画像が直近に撮影されたものであるか否かを判別してもよい。さらに、画像判別部２１３は、画像認識処理によって、被写体を判別してもよい。そして、画像判別部２１３は、上述の判別結果により、画像をコンテンツとして出力するか否かを判別する。
【００４７】
タグ付与部２１４は、画像に関するタグを付与する。タグ付与部２１４は、例えば、画像判別部２１３による判別結果を用いて、タグを付与してもよい。具体的には、タグ付与部２１４は、画像に含まれる被写体の内容を、タグとして付与してもよい。
タグ付与部２１４は、例えば、公知の説明文生成ソフトウェアである“ＤｅｎｓｅＣａｐ”を使用して、画像データに関する説明文を生成した上で、翻訳し、翻訳した説明文から単語を取得して、それをタグとしてタグ付けに用いてもよい。
また、タグ付与部２１４は、携帯端末２０７のユーザＰ１の属性を、タグとして付与してもよい。ユーザＰ１の属性とは、年齢、性別等であり、携帯端末２０７や、携帯端末２０７と通信可能なサーバ（図示せず）に記憶されたユーザＰ１の属性を用いてもよいし、ユーザＰ１に属性を入力させてもよい。また、図示しない特定空間２０９を撮影するカメラによってユーザＰ１を撮影し、ユーザＰ１の画像から属性を得てもよい。
【００４８】
順位付与部２１５は、タグ付けがされた画像に対して優先順位を付与する。順位付与部２１５は、例えば、画像全体に占める特定空間２０９で提供される商品等の割合が高いものから順に、優先順位を付与してもよい。また、順位付与部２１５は、後述する評価受付部２２０が受け付けた評価に基づいて、優先順位を付与してもよい。さらに、順位付与部２１５は、コンテンツ処理サーバ２０１の管理者等が優先順位を入力することで、画像に優先順位を付与してもよい。
コンテンツ生成部２１７は、画像取得部２１１が取得した画像に、その画像に対するコメントを付加したコンテンツを生成する。
評価受付部２２０は、表示装置２０４に表示されたコンテンツに対する評価を受け付ける。
【００４９】
記憶部２３０は、プログラム記憶部２３１と、コンテンツ記憶部２３４とを備える。
プログラム記憶部２３１は、コンテンツ処理サーバ２０１の制御部２１０が実行する各種機能を行うためのプログラムであるコンテンツ処理プログラム２３１ａを記憶している。
コンテンツ記憶部２３４は、画像取得部２１１が取得した画像及びその画像に対するコメントを含むコンテンツを記憶する。また、コンテンツ記憶部２３４は、コンテンツに対応付けて、優先順位や評価を記憶する。
【００５０】
＜表示装置２０４＞
表示装置２０４は、コンテンツ処理サーバ２０１から受信した特定空間２０９の画像を含むコンテンツを表示する装置である。
表示装置２０４は、制御部２４０と、記憶部２４５と、表示部２４６と、カメラ２４８と、通信部２４９とを備える。
制御部２４０は、表示装置２０４の全体を制御するＣＰＵである。制御部２４０は、記憶部２４５に記憶されているＯＳやアプリケーションプログラムを適宜読み出して実行することにより、上述したハードウェアと協働し、各種機能を実行する。
記憶部２４５は、制御部２４０が各種の処理を実行するために必要なプログラム、データ等を記憶するためのハードディスク、半導体メモリ素子等の記憶領域である。
【００５１】
表示部２４６は、大型の液晶ディスプレイ等のモニタである。
カメラ２４８は、例えば、表示装置２０４の上側に設けられ、表示装置２０４の表示部２４６の対面にいる通行人Ｐ２を撮影する。また、カメラ２４８は、動画像を撮影し続ける。
通信部２４９は、通信ネットワークＮを介してコンテンツ処理サーバ２０１との間の通信を行うためのインタフェースである。
なお、図６に示す例では、カメラ２４８は、表示装置２０４の一部に有するものであるが、カメラ２４８は、表示装置２０４と別体であってもよい。
【００５２】
＜携帯端末２０７＞
携帯端末２０７は、ユーザＰ１が所持する、例えば、スマートフォンやタブレットに代表されるコンピュータの機能を併せ持った携帯型の装置である。携帯端末２０７は、その他、携帯電話機等でもよいし、ＰＣ等であってもよい。
携帯端末２０７は、図示しないが、制御部、記憶部、タッチパネルディスプレイ、カメラ（撮影装置）、通信インタフェース部等を備える。カメラは、視野内を撮影する撮像手段としての機能を有し、通信インタフェース部は、撮像手段により撮影された画像を送信する送信手段としての機能を有する。そして、ユーザＰ１が特定空間２０９で、携帯端末２０７を操作することで、携帯端末２０７は、特定空間２０９を撮影した画像を取得し、撮影した画像に対するコメントの入力を受け付け、画像及びコメントを、コンテンツ処理サーバ２０１に送信（投稿）する。
【００５３】
＜コンテンツ生成処理＞
次に、表示装置２０４に表示させるコンテンツを生成する処理について説明する。
図７は、第２実施形態に係るコンテンツ処理サーバ２０１のコンテンツ生成処理を示すフローチャートである。
図７のＳ２１０において、コンテンツ処理サーバ２０１の制御部２１０（画像取得部２１１、コメント受付部２１２）は、携帯端末２０７から画像（コンテンツ）及びコメントを受信する。
ここで、携帯端末２０７では、コンテンツ処理サーバ２０１にアクセスし、例えば、Ｗｅｂサイトから撮影した画像とコメントとを登録してもよい。また、携帯端末２０７では、コンテンツを送信するためのアプリケーションプログラム（以下、アプリともいう。）をインストール及び起動して、アプリの実行にしたがって画像及びコメントを入力してもよい。
【００５４】
Ｓ２１１において、制御部２１０（画像判別部２１３）は、取得した各画像を判別する。制御部２１０は、取得した画像が、特定空間２０９で撮影されたものであるか否かを、例えば、画像のメタ情報によって判別してもよい。また、制御部２１０は、画像に対して画像認識処理をすることで、画像に写り込んでいるものを抽出して、表示対象に適しているか否かを判別してもよい。より具体的には、例えば、料理が中心に写り込む画像であれば、制御部２１０は、表示対象に適していると判別し、料理が一切写り込んでいない画像であれば、制御部２１０は、表示対象に適していないと判別してもよい。
【００５５】
Ｓ２１２において、制御部２１０は、画像判別処理によって、画像を、表示装置２０４への表示対象にするか否かを判定する。例えば、特定空間２０９で撮影された画像ではないと判別されたり、表示対象に適していないと判別されたりした場合には、表示対象にしないと判定する。表示対象にする場合（Ｓ２１２：ＹＥＳ）には、制御部２１０は、処理をＳ２１３に移す。他方、表示対象にしない場合（Ｓ２１２：ＮＯ）には、制御部２１０は、本処理を終了する。
【００５６】
Ｓ２１３において、制御部２１０（タグ付与部２１４）は、画像にタグ付けをする。タグは、例えば、画像認識処理結果から抽出した単語であってもよいし、その画像を撮影したユーザＰ１の属性であってもよい。
Ｓ２１４において、制御部２１０（順位付与部２１５）は、タグ付けされた画像が複数ある場合に、画像に順位付けをする。
Ｓ２１５において、制御部２１０（コンテンツ生成部２１７）は、画像を含むコンテンツにコメントを付加し、コンテンツ記憶部２３４に記憶させる。その後、制御部２１０は、本処理を終了する。
【００５７】
＜コンテンツ表示処理＞
次に、表示装置２０４にコンテンツを表示させる処理について説明する。
図８は、第２実施形態に係るコンテンツ処理サーバ２０１のコンテンツ表示処理を示すフローチャートである。
図９は、第２実施形態に係る表示装置２０４での表示例を示す図である。
図１０は、第２実施形態に係る表示装置２０４のコンテンツ評価受付処理を示すフローチャートである。
【００５８】
図８のＳ２３０において、コンテンツ処理サーバ１の制御部２１０（コンテンツ送信部１８）は、コンテンツ記憶部２３４を参照し、優先順位に基づいてコンテンツを表示装置２０４に送信する。制御部２１０は、例えば、優先順位の高いコンテンツから順番にコンテンツを送信してもよい。また、制御部２１０は、例えば、優先順位の高いコンテンツを、優先順位の低いコンテンツよりも数多く表示装置２０４に送信してもよい。さらに、制御部２１０は、例えば、優先順位が高いコンテンツと、低いコンテンツとで、送信する日時や曜日等を変えてもよい。
【００５９】
表示装置２０４には、図９に示すように、コンテンツ処理サーバ２０１から送信されたコンテンツ２６０が表示される。
コンテンツ２６０は、画像領域２６１と、コメント領域２６２とを含む。画像領域２６１の画像と、コメント領域２６２のコメントとは、ユーザＰ１が携帯端末２０７によって撮影及び入力されたものである。また、コンテンツ２６０は、コンテンツ２６０を見た通行人等が評価するための指示表示領域２６３と、評価結果表示領域２６４とを含む。
【００６０】
通行人Ｐ２がコンテンツ２６０を見て、コンテンツ２６０に対する評価をする場合には、図９に示すように、通行人Ｐ２は、「いいね」を表すジェスチャーをする。表示装置２０４のカメラ２４８は、表示装置２０４を見て「いいね」を表すジェスチャーをする通行人Ｐ２を撮影する。
【００６１】
ここで、表示装置２０４によるコンテンツ評価受付処理について、図１０に基づき説明する。
図１０のＳ２５０において、表示装置２０４の制御部２４０は、カメラ２４８で撮影した画像を、カメラ２４８から取得する。
Ｓ２５１において、制御部２４０は、取得した画像を解析する画像解析処理を行う。具体的には、制御部２４０は、画像に人物を含み、人物が所定のジェスチャー（この例では、「いいね」を表すジェスチャー）をしているか否かを判別する。
Ｓ２５２において、制御部２４０は、Ｓ２５１による判別結果として、評価対象画像であるか否かを判断する。評価対象画像である場合（Ｓ２５２：ＹＥＳ）には、制御部２４０は、処理をＳ２５３に移す。他方、評価対象画像ではない場合（Ｓ２５２：ＮＯ）には、制御部２４０は、処理をＳ２５４に移す。
【００６２】
Ｓ２５３において、制御部２４０は、評価をカウントして記憶部２４５に記憶し、さらに、カウントした評価をコンテンツに反映させる。
この処理によって、図９で出力しているコンテンツ２６０の評価結果表示領域２６４に表示された評価の数が、３から４に変わる。
Ｓ２５４において、制御部２４０は、表示するコンテンツが、次のコンテンツに変わったか否かを判断する。コンテンツが変わった場合（Ｓ２５４：ＹＥＳ）には、制御部２４０は、処理をＳ２５５に移す。他方、コンテンツが変わっていない場合（Ｓ２５４：ＮＯ）には、制御部２４０は、処理をＳ２５０に移し、本処理を繰り返す。
Ｓ２５５において、制御部２４０は、記憶部２４５に記憶された評価のカウント数を、評価結果として出力する。出力した評価結果は、コンテンツ処理サーバ２０１に送信される。その後、制御部２４０は、処理をＳ２５０に移し、本処理を繰り返す。
【００６３】
図８の説明に戻り、Ｓ２３１において、制御部２１０（評価受付部２２０）は、コンテンツに対する評価を表示装置２０４から受け付けたか否かを判断する。具体的には、制御部２１０は、表示装置２０４が図１０のＳ２５５において送信した、評価のカウント数を受信することで、コンテンツに対する評価を受け付ける。コンテンツに対する評価を受け付けた場合（Ｓ２３１：ＹＥＳ）には、制御部２１０は、処理をＳ２３２に移す。他方、コンテンツに対する評価を受け付けていない場合（Ｓ２３１：ＮＯ）には、制御部２１０は、本処理に留まる。
Ｓ２３２において、制御部２１０は、受け付けた評価を、コンテンツ記憶部２３４に反映させる。また、制御部２１０（順位付与部２１５）は、評価に基づいて、コンテンツの優先順位を付与する。その後、制御部２１０は、処理をＳ２３０に移し、コンテンツを表示装置２０４に送信する処理を繰り返す。
【００６４】
このように、第２実施形態のコンテンツ出力システム２００によれば、以下のような効果がある。
（１）コンテンツ処理サーバ２０１は、ユーザＰ１の携帯端末２０７で撮影した画像及びコメントを含むコンテンツを、撮影場所である特定空間２０９の近傍に設置された表示装置２０４に表示させる。コンテンツは、ユーザＰ１によって撮影された画像及びコメントを含むので、臨場感があり、共感ができ、しかも、オリジナリティのあるものになる。よって、表示装置２０４を見た通行人Ｐ２に、興味を示させるコンテンツを提供でき、例えば、特定空間２０９に入る動機づけになり得る。また、ユーザＰ１は、自身が撮影した画像及び自身が入力したコメントが表示装置２０４に表示されるので、投稿する楽しさを提供でき、投稿する動機づけになり得る。
【００６５】
（２）コンテンツ処理サーバ２０１は、画像に優先順位を付与して、優先順位に基づいてコンテンツを表示装置２０４に送信する。よって、優先順位の高いコンテンツを優先的に表示させることができる。
（３）コンテンツ処理サーバ２０１は、画像にタグを付与する。付与するタグは、画像の内容に関するものや、画像を撮影したユーザＰ１に関するものにできる。また、優先順位を、画像に付与されたタグに基づいて付与できる。よって、例えば、料理が大きく写った画像の優先順位を高くしたりできる。
（４）コンテンツ処理サーバ２０１は、通行人Ｐ２の評価に基づいて、優先順位を付与できる。よって、コンテンツを見た人の評価が高いコンテンツに、高い優先順位を付与でき、より優先的にコンテンツを表示させることができる。
【００６６】
なお、第２実施形態によるコンテンツ出力システム２００は、種々の変形が可能である。
【００６７】
（１）携帯端末２０７が特定空間２０９にある場合に、基地局Ｂを介したコンテンツ処理サーバ２０１との通信を可能にすることで、携帯端末２０７から受信した画像が特定空間２０９で撮影された画像であるという判定を行うものを例に説明した。しかし、携帯端末２０７から受信した画像が特定空間２０９で撮影された画像であるという判定は、種々の方法が考えられる。例えば、携帯端末２０７の位置情報を取得し、取得した位置が特定空間２０９の位置であることを条件に、携帯端末２０７により特定空間２０９で撮影された画像であると判定してもよい。
【００６８】
（２）携帯端末２０７から取得した画像を判別して表示対象にするか否かを判断したが、加えて、コメントの内容についても表示対象にするかを判断してもよい。コメントに、例えば、別途有する禁止ワード等の不適格な内容を含む場合、禁止ワードを除外して表示対象にしてもよいし、コメントを表示対象にしなくてもよい。
【００６９】
（３）表示装置２０４が、通行人Ｐ２の評価を受け付けて処理をするものを説明したが、カメラ２４８が撮影した画像を、コンテンツ処理サーバ２０１が受信して、コンテンツ処理サーバ２０１でコンテンツ評価受付処理を行ってもよい。
また、通行人Ｐ２の評価を、評価対象のジェスチャーを画像認識処理で判定することで受け付けたが、ジェスチャーに限定されない。例えば、表示装置２０４の方向を見ている時間と表情とによって、評価を算出してもよい。また、例えば、表示装置に操作部を設けて、通行人Ｐ２に操作をしてもらう等、他の方法で行われた評価を受け付けてもよい。
【００７０】
（４）コンテンツ出力システム２００は、ユーザＰ１が画像及びコメントを取得及び入力してコンテンツ処理サーバ２０１に送信するだけでも、ユーザＰ１に投稿する楽しみを与えることができるが、投稿したインセンティブとして、例えば、割引等をユーザＰ１に与えるようにしてもよい。そのようにすることで、ユーザＰ１が積極的に投稿する動機づけになり得る。
【００７１】
（５）カメラ２４８は、取得した画像を用いて通行人Ｐ２の評価を得るものを説明したが、取得した画像から通行人Ｐ２の属性を取得し、属性に応じて表示装置２０４に表示させるコンテンツを変えるようにしてもよい。例えば、画像に関するタグと、通行人Ｐ２の属性とが一致又は類似するコンテンツを、表示装置２０４に表示させるようにしてもよい。そのようにすることで、より通行人Ｐ２が興味を持つコンテンツを表示させることができる。
【００７２】
（６）特定空間２０９を、レストランの店内を例に説明したが、種々の場所で実現できる。例えば、衣類等の販売店であれば、販売している衣類を試着している画像とコメントとを含むコンテンツを生成して表示させてもよい。また、例えば、美容院等であれば、カット等をした後の髪型とコメントとを含むコンテンツを生成して表示させてもよい。
【００７３】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００７４】
（変形形態）
（１）各実施形態では、表示装置は、通信ネットワークを介して接続されているものとして説明したが、これに限定されない。例えば、コンテンツ処理サーバと、ディスプレイとが一体になったコンテンツ出力装置であってもよい。
（２）各実施形態では、表示装置が、デジタルサイネージのようなものであって、特定空間の近傍に設けられたものを例に説明したが、これに限定されない。例えば、表示装置は、パーソナルコンピュータ（ＰＣ）やタブレット等であってもよい。
（３）各実施形態では、コンテンツの表示期限について、特に説明をしなかったが、コンテンツ生成日時を有し、古いコンテンツは表示対象にしないようにしてもよい。
【符号の説明】
【００７５】
１，２０１  コンテンツ処理サーバ
４，２０４  表示装置
５    カメラ
９，２０９  特定空間
１０，２１０  制御部
１１，２１１  画像取得部
１３，２１３  画像判別部
１６  地図生成部
１７，２１７  コンテンツ生成部
１８  コンテンツ送信部
３０，２３０  記憶部
３１ａ，２３１ａ  コンテンツ処理プログラム
３２  地図記憶部
１００，２００  コンテンツ出力システム
２０７  携帯端末
２１２  コメント受付部
２１４  タグ付与部
２１５  順位付与部
２２０  評価受付部
２３４  コンテンツ記憶部
２４６  表示部
２４８  カメラ
Ｂ    基地局
Ｐ１  ユーザ
Ｐ２  通行人
【図１】
2019176365.tif 000003
【図２】
2019176365.tif 000004
【図３】
2019176365.tif 000005
【図４】
2019176365.tif 000006
【図５】
2019176365.tif 000007
【図６】
2019176365.tif 000008
【図７】
2019176365.tif 000009
【図８】
2019176365.tif 000010
【図９】
2019176365.tif 000011
【図１０】
2019176365.tif 000012